【手続補正書】
【提出日】平成24年4月17日(2012.4.17)
【手続補正１】
【補正対象書類名】特許請求の範囲
【補正対象項目名】全文
【補正方法】変更
【補正の内容】
【特許請求の範囲】
【請求項１】
映像に関連したクリエイティブを表示する方法であって、
クライアント上のユーザインタフェースの映像領域で前記映像を再生させるステップと、
前記クリエイティブそのものが再生中にどのように現れるかを記述する情報を含むコントローラファイルを前記クライアントに受信させるステップと、
前記コントローラファイルに含まれる前記情報に従って、前記映像領域の一部に、前記再生している映像上にかぶせられる前記クリエイティブをクライアントに表示させるステップと、
表示された前記クリエイティブの量をクライアントに追跡させるステップと、
前記追跡された表示された前記クリエイティブの量に少なくとも一部応じて広告イベントを前記クライアントに報告させるステップと
を具えることを特徴とする方法。
【請求項２】
前記コントローラファイルは、前記クリエイティブに関連付けられた広告報告イベントがどのように計測されるかを記述する情報を含み、
前記方法は、
前記コントローラファイルに含まれるに含まれる情報に従って、前記クライアントに広告イベントを報告させるステップ
をさらに具えることを特徴とする請求項１に記載の方法。
【請求項３】
前記表示されたクリエイティブの量は前記クリエイティブが表示される時間の長さであることを特徴とする請求項１に記載の方法。
【請求項４】
前記コントローラファイルに含まれる前記情報は前記映像領域の下部に沿って前記クリエイティブを表示させることを特徴とする請求項１に記載の方法。
【請求項５】
前記コントローラファイルに含まれる前記情報は前記映像が再生を開始した後、前記映像が再生し続ける間、前記クリエイティブを所定の位置に間に合って表示させることを特徴とする請求項１に記載の方法。
【請求項６】
前記コントローラファイルに含まれる前記情報は前記再生している映像が前記表示されたクリエイティブの下で見えるままであるように、部分的に透明な方法で前記クリエイティブを表示させることを特徴とする請求項１に記載の方法。
【請求項７】
前記クライアントの前記ユーザによる前記クリエイティブの選択に少なくとも一部応じて、前記映像領域から前記クリエイティブを削除させるステップをさらに具えることを特徴とする請求項１に記載の方法。
【請求項８】
前記クライアントのユーザによる前記クリエイティブの選択に応じるガイド映像であって、前記映像の部分的な箇所に重ね合わせられた前記映像領域に現れる前記ガイド映像を表示させるステップを更に含み、前記映像は、前記ガイド映像の表示中一時停止され、色あせさせられることを特徴とする請求項１に記載の方法。
【請求項９】
前記クライアントのユーザによる前記クリエイティブの選択に応じて、前記映像領域に現れる双方向広告を表示させるステップをさらに具え、
前記双方向広告は、該双方向広告により広告されるアイテムを前記ユーザが購入することを可能にする機能を含むことを特徴とする請求項１に記載の方法。
【請求項１０】
前記映像領域の外側で前記クライアント上にガイドクリエイティブを前記クライアントに表示させるステップをさらに具え、
前記ガイドクリエイティブは、前記映像領域の一部に表示される前記クリエイティブに関連付けられていることを特徴とする請求項１に記載の方法。
【請求項１１】
前記クリエイティブは動画の広告を含むことを特徴とする請求項１に記載の方法。
【請求項１２】
前記映像の長さおよび該映像の現在の再生位置を示すプログレスバーを前記クライアントに表示させるステップと、
前記クリエイティブが表示される前記映像の再生位置を示す前記プログレスバーに関連したインジケータを前記クライアントに表示させるステップと
をさらに具えることを特徴とする請求項１に記載の方法。
【請求項１３】
前記プログレスバー上の前記クリエイティブおよび前記インジケータが関連していることを示すユーザインタフェース（ＵＩ）構成要素を表示させるステップをさらに具えることを特徴とする請求項１２に記載の方法。
【請求項１４】
前記映像領域内の前記クリエイティブ上に透明なスクリーンを表示させるステップと、
前記クリエイティブに関連付けられたユーザインタフェース（ＵＩ）構成要素を前記透明なスクリーン上に具体例で表すステップと
をさらに具えることを特徴とする請求項１に記載の方法。
【請求項１５】
前記ＵＩ構成要素は、前記クリエイティブが広告であることを示すテキストと、ユーザが前記クリエイティブの最小表示することを可能にする制御部とからなるセットから１つ以上の構成要素を具えることを特徴とする請求項１４に記載の方法。
【請求項１６】
映像に関連してクリエイティブを表示するための実行可能なコンピュータプログラム命令を格納するコンピュータ読み取り可能な記憶装置であって、前記コンピュータプログラム命令は、
クライアントの表示領域に表示する映像、該映像に関連付けられたクリエイティブ、および前記映像の表示中に前記クリエイティブがどのように現れるかを指定するコントローラファイルを受信するように構成されるプレイヤモジュールと、
前記コントローラファイルを受信し、前記コントローラファイルに従い、前記表示された映像に覆われた前記表示領域の一部に前記クリエイティブを表示し、表示された前記クリエイティブの量をクライアントに追跡し、且つ、前記追跡された表示された前記クリエイティブの量に少なくとも一部応じて広告イベントを報告するように構成されるプレイヤ制御モジュールと
を具えることを特徴とするコンピュータ読み取り可能な記憶装置。
【請求項１７】
前記コントローラファイルは、前記クリエイティブが表示される前記映像の再生中のポイントと、前記クリエイティブが表示される前記表示領域の位置と、前記クリエイティブが表示される時間の長さとからなるセットから１つ以上の命令を更に指定することを特徴とする請求項１６に記載のコンピュータ読み取り可能な記憶装置。
【請求項１８】
前記コントローラファイルは、前記クリエイティブに関連付けられた広告報告イベントがどのように計測されるかを記述する情報を含み、
前記プレイヤ制御モジュールは、前記コントローラファイルに含まれる前記情報に従って広告イベントを報告するようにさらに構成されることを特徴とする請求項１６に記載のコンピュータ読み取り可能な記憶装置。
【請求項１９】
前記表示された映像コンテンツに覆われた前記表示領域の一部にＵＩ構成要素を生成するように構成されるユーザインタフェース（ＵＩ）生成モジュールをさらに具えることを特徴とする請求項１６に記載のコンピュータ読み取り可能な記憶装置。
【請求項２０】
前記ＵＩ構成要素は、前記クリエイティブの表示を最小化するためのＵＩ構成要素と、前記クリエイティブの表示が終わった後、前記クリエイティブを再表示 するためのＵＩ構成要素とからなるセットから選択される１つ以上のＵＩ構成要素を含むことを特徴とする請求項１９に記載のコンピュータ読み取り可能な記憶装置。
【請求項２１】
前記クリエイティブが前記クライアントのユーザにより選択されるとき、前記コントローラファイルは、実行される行動を指定することを特徴とする請求項１６に記載のコンピュータ読み取り可能な記憶装置。
【請求項２２】
前記コントローラファイルは、前記ユーザによる前記クリエイティブの選択に応じて、ガイド映像広告が表示され、前記表示された映像コンテンツに重ね合わせられることを指定することを特徴とする請求項２１に記載のコンピュータ読み取り可能な記憶装置。
【請求項２３】
前記コントローラファイルは、前記ユーザによる前記クリエイティブの選択に応じて、双方向リッチメディア広告が表示されることを指定することを特徴とする請求項２１に記載のコンピュータ読み取り可能な記憶装置。
【請求項２４】
クライアントにおいて映像に従ってクリエイティブを表示させるサーバであって、
実行可能なコンピュータプログラム命令を格納するコンピュータ読み取り可能な記憶装置であって、
クライアントの表示領域に表示する映像、該映像に関連付けられたクリエイティブ、および前記映像の表示中に前記クリエイティブがどのように現れるかを指定するコントローラファイルを前記クライアントに受信させる前記命令と、
前記コントローラファイルに従い、前記表示された映像に覆われた前記表示領域の一部に前記クリエイティブを前記クライアントに表示させ、表示された前記クリエイティブの量を前記クライアントに追跡させ、且つ、前記追跡された表示された前記クリエイティブの量に少なくとも一部応じて広告イベントを前記クライアントに報告させる命令とを備える前記コンピュータ読み取り可能な記憶装置と、
前記命令を実行するためのプロセッサ
を具備することを特徴とするサーバ。
【請求項２５】
前記コントローラファイルは、前記クリエイティブが表示される前記映像の再生中のポイントと、前記クリエイティブが表示される前記表示領域の位置と、前記クリエイティブが表示される時間の長さとからなるセットから１つ以上の命令を更に指定するものであることを特徴とする請求項２４に記載のサーバ。
【請求項２６】
前記表示された映像コンテンツに覆われた前記表示領域の一部にＵＩ構成要素を前記クライアントに生成させる命令を更に具備することを特徴とする請求項２４に記載のサーバ。
【請求項２７】
前記ＵＩ構成要素は、前記クリエイティブの表示を最小化するためのＵＩ構成要素と、前記クリエイティブの表示が終わった後、前記クリエイティブを再表示するためのＵＩ構成要素とからなるセットから選択される１つ以上のＵＩ構成要素を含むことを特徴とする請求項２６に記載のサーバ。
【請求項２８】
前記コントローラファイルは、前記クリエイティブが前記クライアントのユーザにより選択されるときに実行される行動を指定するものであることを特徴とする請求項２４に記載のサーバ。
【請求項２９】
前記コントローラファイルは、前記クリエイティブに関連付けられた広告報告イベントがどのように計測されるかを記述する情報を含み、
前記命令は、更に、前記コントローラファイルに含まれるに含まれる情報に従って前記クライアントに広告イベントを報告させるものであることを特徴とする請求項２４に記載のサーバ。